(57)【要約】本発明に係るマルチメディアサービスデータの伝送方法では、共有チャンネルを通して伝送されたサービスデータ（データチャンネル）の類型を端末側で判別するように、共有チャンネルにマッピングされるサービスデータに論理チャンネル種類（ｔｙｐｅ）指示子を含ませる。論理チャンネル種類指示子は、Ｔａｒｇｅｔ  Ｃｈａｎｎｅｌ  Ｔｙｐｅ  Ｆｉｅｌｄ（ＴＣＴＦ）であり、サービスデータ（ＭＡＣプロトコルユニット）のヘッダーに含まれて伝送される。
2005535268.tif 000002
【特許請求の範囲】
【請求項１】
論理チャンネルデータを共通伝送チャンネルにマッピングして端末に伝送する無線通信システムにおいて、
単一方向のｓｈａｒｅｄ  ｃｈａｎｎｅｌを利用して専用論理チャンネルデータと共通論理チャンネルのデータを端末に伝送し、前記専用論理チャンネルデータと共通論理チャンネルデータは、区別されて伝送されることを特徴とするマルチキャストサービス提供方法。
【請求項２】
前記専用論理チャンネルは、
専用トラフィックチャンネル（ＤＴＣＨ）または専用制御チャンネル（ＤＣＣＨ）であることを特徴とする請求項１記載のマルチキャストサービス提供方法。
【請求項３】
前記専用論理チャンネルデータは、
Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）データであることを特徴とする請求項１記載のマルチキャストサービス提供方法。
【請求項４】
前記共通論理チャンネルは、
ＭＢＭＳトラフィックチャンネル（ＭＴＣＨ）またはＭＢＭＳ制御チャンネル（ＭＣＣＨ）であることを特徴とする請求項１記載のマルチキャストサービス提供方法。
【請求項５】
前記専用論理チャンネルデータと共通論理チャンネルデータは、論理チャンネル識別子により識別されることを特徴とする請求項１記載のマルチキャストサービス提供方法。
【請求項６】
前記論理チャンネル識別子は、
Ｔａｒｇｅｔ  Ｃｈａｎｎｅｌ  Ｔｙｐｅ  Ｆｉｅｌｄ（ＴＣＴＦ）であることを特徴とする請求項５記載のマルチキャストサービス提供方法。
【請求項７】
前記共有チャンネルは、
ダウンリンク共有チャンネル（ＤＳＣＨ）であることを特徴とする請求項１記載のマルチキャストサービス提供方法。
【請求項８】
前記共有チャンネルは、
データのみを伝送するチャンネルであることを特徴とする請求項１記載のマルチキャストサービス提供方法。
【請求項９】
前記共有チャンネルの制御情報は、
関連チャンネル（Ａｓｓｏｃｉａｔｅｄ  ｃｈａｎｎｅｌ）を通して伝送されることを特徴とする請求項１記載のマルチキャストサービス提供方法。
【請求項１０】
前記共有チャンネルのデータは、
論理チャンネルの種類を示す指示子と、
マルチキャストサービスの種類を示す指示子と、
サービスデータユニットと、を含むことを特徴とする請求項１記載のマルチキャストサービス提供方法。
【請求項１１】
単一方向の共有チャンネルを通して専用論理チャンネルデータと共通論理チャンネルのデータを伝送する無線通信システムにおいて、
前記共有チャンネルのデータは、
論理チャンネルの種類を示す第１指示子と、
マルチキャストサービスの種類を示す第２指示子と、
サービスデータユニットと、を含むことを特徴とするマルチキャストサービス提供方法。
【請求項１２】
前記論理チャンネルを区分する指示子は、
Ｔａｒｇｅｔ  Ｃｈａｎｎｅｌ  Ｔｙｐｅ  Ｆｉｅｌｄ（ＴＣＴＦ）であることを特徴とする請求項１１記載のマルチキャストサービス提供方法。
【請求項１３】
前記第２指示子は、
端末識別子と、
前記端末識別子の種類を示す指示子と、を含むことを特徴とする請求項１１記載のマルチキャストサービス提供方法。
【請求項１４】
前記端末識別子は、
ＭＢＭＳ無線網臨時識別子（ＭＢＭＳ  ＲＮＴＩ）であることを特徴とする請求項１３記載のマルチメディアサービス提供方法。
【請求項１５】
前記第１、第２指示子は、
ヘッダーに含まれることを特徴とする請求項１１記載のマルチメディアサービス提供方法。
【請求項１６】
第１専用伝送チャンネルを有する専用論理チャンネルのデータを受信する段階と、
第２専用伝送チャンネルを有する共通論理チャンネルのデータを受信する段階と、
前記専用論理チャンネルデータと共通論理チャンネルデータ間を区別するための識別子を含む多重化データを形成するために、前記専用論理チャンネルデータと共通論理チャンネルデータを処理する段階と、
前記第１、第２専用伝送チャンネルと独立的な共有伝送チャンネルを新しく樹立する段階と、
前記新しく樹立された共有伝送チャンネルを経由して前記多重化データを伝送する段階と、を含むことを特徴とする無線移動通信システムのマルチキャストサービス提供方法。
【請求項１７】
前記受信された多重化データ内の識別子を利用して、前記共有伝送チャンネルを経由して受信された前記多重化データを逆多重化する段階を更に含むことを特徴とする請求項１６記載の無線移動通信システムのマルチキャストサービス提供方法。
【発明の詳細な説明】
【技術分野】
【０００１】
本発明は、Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ（ＵＭＴＳ）のＭｕｌｔｉｍｅｄｉａ  Ｂｒｏａｄｃａｓｔ／Ｍｕｌｔｉｃａｓｔ  Ｓｅｒｖｉｃｅ（ＭＢＭＳ）サービス提供方法に係るもので、詳しくは、ダウンリンク共有チャンネルを通したマルチキャストデータの伝送方法に関するものである。
【背景技術】
【０００２】
ＵＭＴＳ（Ｕｎｉｖｅｒｓａｌ  Ｍｏｂｉｌｅ  Ｔｅｌｅｃｏｍｍｕｎｉｃａｔｉｏｎｓ  Ｓｙｓｔｅｍ）は、欧州式標準のＧＳＭ（Ｇｌｏｂａｌ  Ｓｙｓｔｅｍ  ｆｏｒ  Ｍｏｂｉｌｅ  Ｃｏｍｍｕｎｉｃａｔｉｏｎｓ）システムから進化した第３世代移動通信システムで、ＧＳＭ核心網（Ｃｏｒｅ  Ｎｅｔｗｏｒｋ）とＷＣＤＭＡ（Ｗｉｄｅｂａｎｄ  Ｃｏｄｅ  Ｄｉｖｉｓｉｏｎ  Ｍｕｌｔｉｐｌｅ  Ａｃｃｅｓｓ）接続技術に基づき、より向上した移動通信サービスの提供を目標とする。
【０００３】
図１は一般のＵＭＴＳの網構造である。
【０００４】
図１に示したように、ＵＭＴＳシステムは、大きく端末、ＵＴＲＡＮ及び核心網により構成される。ＵＴＲＡＮは、一つ以上の無線網副システム（Ｒａｄｉｏ  Ｎｅｔｗｏｒｋ  Ｓｕｂ−ｓｙｓｔｅｍｓ：ＲＮＳ）により構成され、各ＲＮＳは、一つの無線網制御器（Ｒａｄｉｏ  Ｎｅｔｗｏｒｋ  Ｃｏｎｔｒｏｌｌｅｒ：ＲＮＣ）と、そのＲＮＣにより管理される一つ以上のＮｏｄｅ  Ｂ（基地局）とから構成される。
【０００５】
Ｎｏｄｅ  Ｂは、ＲＮＣにより管理され、アップリンクには端末の物理階層から伝送した情報を受信し、ダウンリンクには端末にデータを伝送して端末に対するＵＴＲＡＮのアクセスポイント（Ａｃｃｅｓｓ  Ｐｏｉｎｔ）の役割を担当する。前記ＲＮＣは、無線資源の割当及び管理を担当して核心網とのアクセスポイントの役割を担当する。
【０００６】
ＵＴＲＡＮの主な機能は、端末と核心網間の通話のために、無線接続ベアラー（Ｒａｄｉｏ  Ａｃｃｅｓｓ  Ｂｅａｒｅｒ：ＲＡＢ）を構成して維持することである。核心網は終端間（ｅｎｄ−ｔｏ−ｅｎｄ）のサービス品質（Ｑｕａｌｉｔｙ  ｏｆ  Ｓｅｒｖｉｃｅ：ＱｏＳ）要求事項をＲＡＢに適用し、ＲＡＢは核心網が設定したＱｏＳ要求事項を支援する。従って、ＵＴＲＡＮは、ＲＡＢを構成して維持することで、終端間のＱｏＳ要求事項を充足させることができる。
【０００７】
ＲＡＢサービスは、再び下位概念のＩｕ  ＢｅａｒｅｒサービスとＲａｄｉｏ  Ｂｅａｒｅｒサービスとに分けられる。ここで、Ｉｕ  Ｂｅａｒｅｒサービスは、ＵＴＲＡＮと核心網境界ノード間で使用者データの信頼性ある伝送を担当し、Ｒａｄｉｏ  Ｂｅａｒｅｒサービスは、端末とＵＴＲＡＮ間で使用者データの信頼性ある伝送を担当する。
【０００８】
図２は３ＧＰＰ無線接続網規格に基づく端末とＵＴＲＡＮ間の無線プロトコルの構造である。
【０００９】
図２を参照すると、無線プロトコルは、水平に物理階層、データリンク階層及びネットワーク階層により構成され、垂直にはデータ情報を伝送するための使用者平面（Ｕｓｅｒ  Ｐｌａｎｅ）と、制御信号（Ｓｉｇｎａｌｉｎｇ）伝達のための制御平面（Ｃｏｎｔｒｏｌ  ｐｌａｎｅ）とに区分される。前記使用者平面は、音声やＩＰパケットなどのように使用者のトラフィック情報が伝達される領域で、前記制御平面は、網のインターフェースや呼の維持及び管理などの制御情報が伝達される領域を示している。
【００１０】
図２に示した各プロトコル階層は、通信システムで広く知られた開放型システム間相互接続（Ｏｐｅｎ  ｓｙｓｔｅｍ  ｉｎｔｅｒｆａｃｅ：ＯＳＩ）基準モデルの下位３個の階層に基づいて、Ｌ１（第１階層）、Ｌ２（第２階層）及びＬ３（第３階層）に区分される。
【００１１】
Ｌ１階層（ＰＨＹ）は、多様な無線伝送技術を利用して上位階層に情報伝送サービスを提供する。前記Ｌ１階層は、伝送チャンネル（Ｔｒａｎｓｐｏｒｔ  ｃｈａｎｎｅｌ）を通して上位の媒体接続制御（Ｍｅｄｉｕｍ  ａｃｃｅｓｓ  ｃｏｎｔｒｏｌ）階層と接続される。従って、前記伝送チャンネルを通してＭＡＣ階層と物理階層間のデータが移動する。
【００１２】
伝送チャンネルを通して伝送されるデータは、伝送時間間隔（Ｔｒａｎｓｍｉｓｓｉｏｎ  Ｔｉｍｅ  Ｉｎｔｅｒｖａｌ：ＴＴＩ）に合せて伝達される。物理チャンネルは、フレーム（Ｆｒａｍｅ）と呼ばれる一定の時間単位に分れてデータを伝達する。伝送チャンネルの同期を合せるために、ＵＥとＵＴＲＡＮ間にＣｏｎｎｅｃｔｉｏｎ  Ｆｒａｍｅ  Ｎｕｍｂｅｒ（ＣＦ）が使用される。前記ＣＦＮ値の範囲は、ページングチャンネル（ＰＣＨ）を除いた残りの伝送チャンネルの場合、０から２５５までである。即ち、ＣＦＮは、２５６フレームを周期にして反復的に循環される。また、物理チャンネルの同期を合せるために、ＣＦＮの他に、Ｓｙｓｔｅｍ  Ｆｒａｍｅ  Ｎｕｍｂｅｒ（ＳＦＮ）が使用される。前記ＳＦＮ値の範囲は０から４０９５までであり、４０９６フレームを周期にして反復される。
【００１３】
媒体接続制御（Ｍｅｄｉｕｍ  ａｃｃｅｓｓ  ｃｏｎｔｒｏｌ：ＭＡＣ）階層は、無線資源の割当及び再割当のためのＭＡＣパラメーターの再割当サービスを提供し、論理チャンネル（Ｌｏｇｉｃａｌ  ｃｈａｎｎｅｌ）を通して上位の無線リンク制御（Ｒａｄｉｏ  ｌｉｎｋ  ｃｏｎｔｒｏｌ：ＲＬＣ）階層と連結される。ＭＡＣには、伝送される情報の種類によって多様な論理チャンネルが提供される。一般に、制御平面の情報を伝送する場合、ＭＡＣは制御チャンネル（Ｃｏｎｔｒｏｌ  ｃｈａｎｎｅｌ）を利用し、使用者平面の情報を伝送する場合は、トラフィックチャンネル（Ｔｒａｆｆｉｃ  ｃｈａｎｎｅｌ）を使用する。
【００１４】
ＭＡＣは、管理する伝送チャンネルの種類によってＭＡＣ−ｂ副階層（Ｓｕｂｌａｙｅｒ）、ＭＡＣ−ｄ副階層及びＭＡＣ−ｃ／ｓｈ副階層に区分される。ＭＡＣ−ｂ副階層は、システム情報の放送を担当する伝送チャンネルのＢＣＨ（Ｂｒｏａｄｃａｓｔ  ｃｈａｎｎｅｌ）を管理し、ＭＡＣ−ｃ／ｓｈ副階層は、他の端末と共有されるＦＡＣＨ（Ｆｏｒｗａｒｄ  ａｃｃｅｓｓ  ｃｈａｎｎｅｌ）やＤＳＣＨ（Ｄｏｗｎｌｉｎｋ  ｓｈａｒｅｄ  ｃｈａｎｎｅｌ）等の共有伝送チャンネルを管理する。ＵＴＲＡＮでのＭＡＣ−ｃ／ｓｈ副階層はＣｏｎｔｒｏｌ  ＲＮＣ（ＣＲＮＣ）に位置し、セル内の全ての端末が共有するチャンネルを管理するので、各セルに対して一つずつ存在する。そして、各端末にもＭＡＣ−ｃ／ｓｈ副階層が一つずつ存在する。ＭＡＣ−ｄ副階層は、特定の端末に対する専用伝送チャンネルのＤＣＨ（Ｄｅｄｉｃａｔｅｄ  ｃｈａｎｎｅｌ）を管理する。従って、ＵＴＲＡＮのＭＡＣ−ｄ副階層は該当の端末を管理するＳｅｒｖｉｎｇ  ＲＮＣ（ＳＲＮＣ）に位置し、各端末にもＭＡＣ−ｄ副階層が一つずつ存在する。
【００１５】
無線リンク制御（Ｒａｄｉｏ  ｌｉｎｋ  ｃｏｎｔｒｏｌ：ＲＬＣ）階層は信頼性あるデータの伝送を支援し、上位階層から伝達されたＲＬＣサービスデータ単位（Ｓｅｒｖｉｃｅ  ｄａｔａ  ｕｎｉｔ：ＳＤＵ）の分割及び連結（Ｓｅｇｍｅｎｔａｔｉｏｎ  ａｎｄ  ｃｏｎｃａｔｅｎａｔｉｏｎ）機能を行うことができる。上位から伝達されたＲＬＣ  ＳＤＵは、ＲＬＣ階層で処理容量に合わせて大きさが調節された後、ヘッダー（ｈｅａｄｅｒ）情報が加えられて、プロトコルデータ単位（Ｐｒｏｔｏｃｏｌ  ｄａｔａ  ｕｎｉｔ：ＰＤＵ）の形態でＭＡＣ階層に伝達される。ＲＬＣ階層には、上位からのＲＬＣ  ＳＤＵまたはＲＬＣ  ＰＤＵを保存するためのＲＬＣバッファーが存在する。
【００１６】
放送／マルチキャスト制御（Ｂｒｏａｄｃａｓｔ／ｍｕｌｔｉｃａｓｔ  ｃｏｎｔｒｏｌ：ＢＭＣ）階層は、核心網から伝達されたセル放送メッセージ（Ｃｅｌｌ  ｂｒｏａｄｃａｓｔ  ｍｅｓｓａｇｅ：ＣＢ）をスケジューリングし、特定のセルに位置した各ＵＥにＣＢを放送する機能を行う。ＵＴＲＡＮの側面から見ると、上位から伝達されたＣＢメッセージは、メッセージＩＤ、ｓｅｒｉａｌ  ｎｕｍｂｅｒ、ｃｏｄｉｎｇ  ｓｃｈｅｍｅ等の情報が加えられてＢＭＣメッセージの形態でＲＬＣ階層に伝達され、論理チャンネルのＣＴＣＨ（Ｃｏｍｍｏｎ  ｔｒａｆｆｉｃ  ｃｈａｎｎｅｌ）を通してＭＡＣ階層に伝達される。この場合、論理チャンネル（ＣＴＣＨ）は、伝送チャンネルのＦＡＣＨ（Ｆｏｒｗａｒｄ  ａｃｃｅｓｓ  ｃｈａｎｎｅｌ）と物理チャンネルのＳ−ＣＣＰＣＨ（Ｓｅｃｏｎｄａｒｙ  ｃｏｍｍｏｎ  ｃｏｎｔｒｏｌ  ｐｈｙｓｉｃａｌ  ｃｈａｎｎｅｌ）にマッピングされる。
【００１７】
パケットデータ収斂プロトコル（Ｐａｃｋｅｔ  ｄａｔａ  ｃｏｎｖｅｒｇｅｎｃｅ  ｐｒｏｔｏｃｏｌ：ＰＤＣＰ）階層はＲＬＣ階層の上位に位置し、ＩＰｖ４やＩＰｖ６のようなネットワークプロトコルを通して伝送されるデータを、相対的に帯域幅の小さい無線インターフェース上で効率的に伝送させる。このため、ＰＤＣＰ階層は、不必要な制御情報を減らす機能を行うが、この機能をヘッダー圧縮（Ｈｅａｄｅｒ  ｃｏｍｐｒｅｓｓｉｏｎ）と称し、ＩＥＴＦ（Ｉｎｔｅｒｎｅｔ  ｅｎｇｉｎｅｅｒｉｎｇ  ｔａｓｋ  ｆｏｒｃｅ）というインターネット標準化グループで定義するヘッダー圧縮技法であるＲＦＣ２５０７とＲＦＣ３０９５（Ｒｏｂｕｓｔ  ｈｅａｄｅｒ  ｃｏｍｐｒｅｓｓｉｏｎ：ＲＯＨＣ）を使用することができる。これらの方法は、データのヘッダー部分で必ず必要な情報のみを伝送させて、より少ない制御情報を伝送するため、伝送されるデータ量を減らすことができる。
【００１８】
Ｌ３の最も下部に位置した無線資源制御（Ｒａｄｉｏ  Ｒｅｓｏｕｒｃｅ  Ｃｏｎｔｒｏｌ：ＲＲＣ）階層は、制御平面のみで定義され、無線ベアラー（Ｒａｄｉｏ  ｂｅａｒｅｒ：ＲＢ）等の設定、再設定及び解除と関連して伝送チャンネル及び物理チャンネルを制御する。このとき、前記ＲＢは、端末とＵＴＲＡＮ間のデータ伝達のために第２階層により提供されるサービスを意味し、一般に、ＲＢが設定されることは、特定のサービスを提供するために必要なプロトコル階層及びチャンネルの特性を規定し、それぞれの具体的なパラメーターと動作方法を設定する過程を意味する。
【００１９】
以下、前記ＭＡＣ副階層に対して説明する。
【００２０】
ＲＬＣと物理階層間に存在するＭＡＣ階層の主要機能は、論理チャンネル（Ｌｏｇｉｃａｌ  ｃｈａｎｎｅｌ）と伝送チャンネル（Ｔｒａｎｓｐｏｒｔ  ｃｈａｎｎｅｌ）をマッピングさせる機能である。それは、ＭＡＣの上位階層と下位階層のチャンネル処理方式が異なるためである。即ち、ＭＡＣの上位階層では、チャンネルが伝送するデータの内容によって制御平面の制御チャンネルと使用者平面のトラフィックチャンネルとに分けて処理する。その反面、下位階層では、チャンネルの共有可否によって共用チャンネル（Ｃｏｍｍｏｎ  Ｃｈａｎｎｅｌ）と専用チャンネル（Ｄｅｄｉｃａｔｅｄ  Ｃｈａｎｎｅｌ）とに分けて処理するため、チャンネル間のマッピングは重要な意味を持つ。
【００２１】
図３はＵＥ側の論理チャンネルと伝送チャンネルとのマッピング関係を示した図である。ＵＴＲＡＮ側の場合は矢印方向が反対である。
【００２２】
ＭＡＣのもう一つの重要な機能として、論理チャンネル多重化（ｍｕｌｔｉｐｌｅｘｉｎｇ）を挙げることができる。ＭＡＣは、チャンネルマッピング時に多様な論理チャンネルを一つの伝送チャンネルにマッピングさせることで、伝送チャンネルの効率を高める多重化利得（ｍｕｌｔｉｐｌｅｘｉｎｇ  ｇａｉｎ）を得る。このような多重化は、特に間欠的にデータが伝送されるシグナルリング情報やパケットデータに対して高い利得を提供できるため、ＳＲＢ（Ｓｉｇｎａｌｉｎｇ  Ｒａｄｉｏ  Ｂｅａｒｅｒ）またはパケットサービス（ＰＳ）ＲＡＢのために使用される。回線（Ｃｉｒｃｕｉｔ  Ｓｅｒｖｉｃｅ：ＣＳ）ＲＡＢの場合は、データが連続的に伝送されるため、一般に多重化機能は使用されない。
【００２３】
従って、ＭＡＣは、チャンネルマッピング及び論理チャンネル多重化を通してチャンネル選択の柔軟性（Ｆｌｅｘｉｂｉｌｉｔｙ）とチャンネル資源の効率性（Ｅｆｆｉｃｉｅｎｃｙ）を提供する。ところが、チャンネルマッピング及び論理チャンネル多重化を支援するためには追加的な機能が必要である。従って、ＭＡＣでは、次のような四つの機能を追加的に行う。
【００２４】
１．優先順位処理（Ｐｒｉｏｒｉｔｙ  Ｈａｎｄｌｉｎｇ）
多様なチャンネルマッピング構造を支援するために、ＭＡＣは優先順位処理（Ｐｒｉｏｒｉｔｙ  Ｈａｎｄｌｉｎｇ）機能を行う。前記優先順位処理には、２種類の多様なＵＥ間の優先順位処理と、一つのＵＥに対する優先順位処理とがある。
【００２５】
ＵＥ間の優先順位処理は、ダウンリンク（Ｄｏｗｎｌｉｎｋ）で多様なＵＥのデータが共用伝送チャンネル（ＦＡＣＨまたはＤＳＣＨ）を通して伝送される場合に該当する。この場合、ＭＡＣは優先順位の高いＵＥのデータから先に伝送する。即ち、ＭＡＣは、共用チャンネルを伝送時間間隔（Ｔｒａｎｓｍｉｓｓｉｏｎ  Ｔｉｍｅ  Ｉｎｔｅｒｖａｌ：ＴＴＩ）毎にＵＥ別に適切に割り当てることで、チャンネル資源の効率を高めることができる。これは、動的スケジューリング（Ｄｙｎａｍｉｃ  Ｓｃｈｅｄｕｌｉｎｇ）機能と関連がある。
【００２６】
一つのＵＥに対する優先順位処理は、一つのＵＥに属した多様な論理チャンネルが一つの伝送チャンネルにマッピングされる場合に該当する。ＭＡＣは、論理チャンネル優先順位（Ｌｏｇｉｃａｌ  Ｃｈａｎｎｅｌ  Ｐｒｉｏｒｉｔｙ）により優先順位を決定する。これは、伝送フォーマット組合せ選択（Ｔｒａｎｓｐｏｒｔ  Ｆｏｒｍａｔ  Ｃｏｍｂｉｎａｔｉｏｎ  ｓｅｌｅｃｔｉｏｎ）と関連があるが、ＭＡＣは、優先順位の高い論理チャンネルのデータを先に伝送できる伝送フォーマット組合せを選択する。
【００２７】
２．伝送フォーマット組合せ選択（Ｔｒａｎｓｐｏｒｔ  Ｆｏｒｍａｔ  Ｃｏｍｂｉｎａｔｉｏｎ  ｓｅｌｅｃｔｉｏｎ）
ＭＡＣは、伝送チャンネルを通して物理階層に各伝送ブロック（Ｔｒａｎｓｐｏｒｔ  Ｂｌｏｃｋ：ＴＢ）を伝送する。伝送フォーマット（Ｔｒａｎｓｐｏｒｔ  Ｆｏｒｍａｔ：ＴＦ）は、一つの伝送チャンネルが伝送するＴＢの大きさと個数に対する規定を意味する。このように特定の伝送チャンネルに対するＴＦを決定するとき、ＭＡＣは物理階層での伝送チャンネル多重化（Ｔｒａｎｓｐｏｒｔ  Ｃｈａｎｎｅｌ  Ｍｕｌｔｉｐｌｅｘｉｎｇ）まで考慮すべきである。
【００２８】
伝送チャンネル多重化は、複数の伝送チャンネルを一つのコード組合せ伝送チャンネル（Ｃｏｄｅｄ  Ｃｏｍｐｏｓｉｔｅ  Ｔｒａｎｓｐｏｒｔ  Ｃｈａｎｎｅｌ：ＣＣＴｒＣＨ）にマッピングすることである。前記機能は物理階層で行われるが、ＴＦの決定時、ＭＡＣは同じＣＣＴｒＣＨにマッピングされる全ての伝送チャンネルを考慮すべきである。実際に、物理階層で処理するデータの量はＣＣＴｒＣＨを通して伝送される量であるため、ＭＡＣはＣＣＴｒＣＨを考慮して各伝送チャンネルのＴＦを決定するが、このとき、各ＴＦの組合せを伝送フォーマット組合せ（Ｔｒａｎｓｐｏｒｔ  Ｆｏｒｍａｔ  Ｃｏｍｂｉｎａｔｉｏｎ：ＴＦＣ）という。このようなＴＦＣは、ＭＡＣが自体的に決定するのでなく、ＭＡＣはＲＲＣ階層が知らせる使用可能なＴＦＣの集合（ＴＦＣ  Ｓｅｔ：ＴＦＣＳ）の中から選択される。即ち、ＲＲＣは、初期設定時、ＭＡＣに一つのＣＣＴｒＣＨに対して使用可能なＴＦＣＳを知らせ、ＭＡＣはＴＴＩ毎にＴＦＣＳ内で適切なＴＦＣを選択する。
【００２９】
与えられたＴＦＣＳ内でＴＴＩ毎に適切なＴＦＣを選択することがＭＡＣが行う機能であり、これは二つの段階に構成されている。
【００３０】
まず、ＭＡＣはＣＣＴｒＣＨに割り当てられたＴＦＣＳ内で有効（ｖａｌｉｄ）ＴＦＣ集合を構成し、構成された有効ＴＦＣ集合内で適切なＴＦＣを選択する。有効ＴＦＣ集合は、割り当てられたＴＦＣＳの中から該当のＴＴＩに実際に使用可能な各ＴＦＣの集合であり、これは、毎瞬間変わるチャンネル環境を考慮するためのものである。このような有効ＴＦＣ集合内で該当のＴＴＩに使用するＴＦＣを選択するとき、ＭＡＣは論理チャンネルの優先順位を基準にＴＦＣを選択する。即ち、ＭＡＣは優先順位の高い論理チャンネルのデータを優先的に伝送できるＴＦＣを選択し、このようなＴＦＣの選択は、優先順位処理機能とも関連がある。
【００３１】
そして、アップリンク（Ｕｐｌｉｎｋ）の共用伝送チャンネルであるＲＡＣＨやＣＰＣＨなどは、一つの伝送チャンネルが一つのＣＣＴｒＣＨを構成するため、それらチャンネルに対しては、ＴＦＣの代わりにＴＦ選択という用語が使用される。
【００３２】
３．識別（Ｉｄｅｎｔｉｆｉｃａｔｉｏｎ）
また、ＭＡＣでは識別（Ｉｄｅｎｔｉｆｉｃａｔｉｏｎ）機能が必要である。その理由は、第一に、共用伝送チャンネルは多様なＵＥが共有して使用するので、ＵＥに対する識別が必要であり、第二に、論理チャンネル多重化によって各論理チャンネルに対する識別が必要であるためである。従って、ＭＡＣは、識別のためにＭＡＣ  ＰＤＵのヘッダーに図４のような４種類のフィールドを挿入する。前記ＭＡＣヘッダーの各フィールドは必ず存在するのではなく、論理チャンネルと伝送チャンネルとのマッピング関係により存在可否が決定される。
【００３３】
端末の識別は、ＤＣＣＨやＤＴＣＨのような専用論理チャンネルがＲＡＣＨ、ＦＡＣＨ、ＣＰＣＨ（Ｃｏｎｔｒｏｌ  Ｐｈｙｓｉｃａｌ  Ｃｈａｎｎｅｌ）、ＤＳＣＨ及びＵＳＣＨ（Ｕｐｌｉｎｋ  Ｓｈａｒｅｄ  Ｃｈａｎｎｅｌ）のような共用伝送チャンネルにマッピングされる時に必要である。端末の識別のために、ＭＡＣはヘッダーのＵＥ−ＩＤフィールドに端末の識別情報である無線網臨時識別子（Ｒａｄｉｏ  Ｎｅｔｗｏｒｋ  Ｔｅｍｐｏｒａｒｙ  Ｉｄｅｎｔｉｔｙ：ＲＮＴＩ）を追加的に伝送する。このとき、ＲＮＴＩの種類には、Ｕ−ＲＮＴＩ（ＵＴＲＡＮ  ＲＮＴＩ）、Ｃ−ＲＮＴＩ（Ｃｅｌｌ  ＲＮＴＩ）及びＤＳＣＨ−ＲＮＴＩなどがあるため、ＭＡＣは、如何なるＲＮＴＩが使用されたかを示すＵＥ−ＩＤ  ｔｙｐｅフィールドも追加的に伝送する。
【００３４】
専用論理チャンネル間の識別は、Ｃ／Ｔフィールドを通して行われる。その理由は、第一に、専用論理チャンネルは他の論理チャンネルとは異なり、一つの伝送チャンネルに複数個マッピングされ、第二に、専用論理チャンネルはＳｅｒｖｉｎｇ  Ｒａｄｉｏ  Ｎｅｔｗｏｒｋ  Ｃｏｎｔｒｏｌｌｅｒ（ＳＲＮＣ）にあるＭＡＣ−ｄで処理し、他の論理チャンネルはＣｏｎｔｒｏｌ  Ｒａｄｉｏ  Ｎｅｔｗｏｒｋ  Ｃｏｎｔｒｏｌｌｅｒ（ＣＲＮＣ）にあるＭＡＣ−ｃ／ｓｈで処理するためである。一つの伝送チャンネルにマッピングされる各専用論理チャンネルは論理チャンネル識別子（Ｌｏｇｉｃａｌ  ｃｈａｎｎｅｌ  ｉｄｅｎｔｉｔｙ）をそれぞれ有するが、この値がＣ／Ｔフィールド値として使用される。もし伝送チャンネル内に専用論理チャンネルが一つだけ存在すると、Ｃ／Ｔフィールドは使用されない。
【００３５】
図５は従来の専用論理チャンネルと伝送チャンネルとのマッピング関係によるＭＡＣヘッダー情報である。
【００３６】
図５に示したように、Ｃ／Ｔフィールドは専用論理チャンネル（ＤＣＣＨまたはＤＴＣＨ）が複数個マッピングされる時のみに存在し、Ｎ表示はヘッダーが全くないことを意味し、−表示はマッピング関係がないことを意味する。また、ＵＥ−ＩＤフィールドは、常にＵＥ−ＩＤ  ｔｙｐｅフィールドと共に存在するため、ただＵＥ−ＩＤと表記した。
【００３７】
４．トラフィック量測定と伝送チャンネルタイプ変更（Ｔｒａｆｆｉｃ  Ｖｏｌｕｍｅ  Ｍｅａｓｕｒｅｓ  ａｎｄ  Ｔｒａｎｓｐｏｒｔ  Ｃｈａｎｎｅｌ  Ｔｙｐｅ  Ｓｗｉｔｃｈｉｎｇ）
ＲＲＣが動的に無線ベアラーを制御するように支援するために、ＭＡＣは、トラフィック量（Ｖｏｌｕｍｅ）測定と伝送チャンネルタイプ変更等の機能を行う。
【００３８】
トラフィック量測定は伝送チャンネルに対して行われる。ＭＡＣは、ＴＴＩ毎に伝送チャンネルにマッピングされた全ての論理チャンネルのＲＬＣバッファー量を測定した後、それらを合せて伝送チャンネルトラフィック量（Ｔｒａｎｓｐｏｒｔ  Ｃｈａｎｎｅｌ  Ｔｒａｆｆｉｃ  Ｖｏｌｕｍｅ）を計算する。この場合、伝送チャンネルのトラフィック量は、今後伝送チャンネルが伝送すべきデータの量を示す。
【００３９】
ＭＡＣは測定結果をＲＲＣに報告するが、測定結果報告はＴＴＩ毎に行われるトラフィック量測定とは異なり、特定の条件が満足される時に行われる。報告形態は、測定結果が臨界値から脱する時に報告するイベントトリガー（Ｅｖｅｎｔ  Ｔｒｉｇｇｅｒ）方式と、所定時間毎に報告する周期的（Ｐｅｒｉｏｄｉｃａｌ）方式の２種類がある。
【００４０】
測定結果の報告を受けたＲＲＣは、各無線ベアラーに対して現在の伝送チャンネルが適しているかを判断し、適していない場合、無線ベアラーの伝送チャンネルを変更するようにＭＡＣに命令する。結局、伝送チャンネルタイプ変更は、与えられたデータ量に合わせて適切な伝送チャンネルを選択して使用することで、伝送チャンネルの資源を効率的に管理するための機能といえる。
【００４１】
以下、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）に対して説明する。
【００４２】
ＭＢＭＳは単方向の点対多ベアラーサービス（Ｐｏｉｎｔ−ｔｏ−Ｍｕｌｔｉｐｏｉｎｔ  Ｂｅａｒｅｒ  Ｓｅｒｖｉｃｅ）を利用して、オーディオ、ビデオ及び映像等のマルチメディアデータを複数の端末に伝達するサービスである。ＭＢＭＳは、放送モードとマルチキャストモードとに分けられる。即ち、ＭＢＭＳサービスは、ＭＢＭＳ放送サービスとＭＢＭＳマルチキャストサービスとに分けられる。
【００４３】
ＭＢＭＳ放送モードは、放送地域（Ｂｒｏａｄｃａｓｔ  ａｒｅａ）にある全ての使用者にマルチメディアデータを伝送するサービスである。このとき、放送地域は、放送サービスが可能な領域をいう。一つのＰＬＭＮ内には一つ以上の放送地域が存在し、一つの放送地域で一つ以上の放送サービスが提供され、また、一つの放送サービスが複数の放送地域に提供される。
【００４４】
ＭＢＭＳマルチキャストモードは、マルチキャスト地域（Ｍｕｌｔｉｃａｓｔ  ａｒｅａ）にある特定の使用者グループのみにマルチメディアデータを伝送するサービスである。このとき、マルチキャスト地域は、マルチキャストサービスが可能な領域をいう。一つのＰＬＭＮ内には一つ以上のマルチキャスト地域が存在し、一つのマルチキャスト地域に一つ以上のマルチキャストサービスが提供される。また、一つのマルチキャストサービスが複数のマルチキャスト地域に提供される。
【００４５】
使用者は、ＭＢＭＳマルチキャストモードで特定のマルチキャストサービスを受信するために、マルチキャストグループ（Ｍｕｌｔｉｃａｓｔ  ｇｒｏｕｐ）に参加（Ｊｏｉｎｉｎｇ）するように要求される。このとき、マルチキャストグループは、特定のマルチキャストサービスを受信する使用者集団をいい、参加は、特定のマルチキャストサービスを受信するために集まったマルチキャストグループに合流する行為をいう。
【００４６】
ＭＢＭＳデータは、ＵＴＲＡＮプロトコルの使用者平面に位置するＰＤＣＰ階層、ＲＬＣ階層、ＭＡＣ階層及び物理階層のサービスを利用して、ＲＮＣから基地局を経て端末に伝送される。即ち、核心網（ＣＮ）から伝達されたＭＢＭＳデータは、ＰＤＣＰ階層でヘッダー圧縮が行われた後、ＲＬＣ  ＵＭ  ＳＡＰを通してＲＬＣ  ＵＭ個体に伝達され、ＲＬＣ  ＵＭ個体は、再び論理チャンネルである共通トラフィックチャンネルを通してＭＡＣ階層に伝達される。ＭＡＣ階層は伝達されたＭＢＭＳデータにＭＡＣヘッダーを付けた後、共通伝送チャンネルを通して基地局の物理階層に伝達し、伝達されたＭＢＭＳデータは、物理階層でコーディングと変調等の過程を経た後、共通物理チャンネルを通して端末に伝送される。
【００４７】
ＭＢＭＳのためのｒａｄｉｏ  ｂｅａｒｅｒ（ＲＢ）のＭＢＭＳ  ＲＢは、核心網からＵＴＲＡＮに伝達された一つの特定のＭＢＭＳサービスの使用者データを特定の端末グループに伝送する役割を行う。ＭＢＭＳ  ＲＢは、大きく点対多（Ｐｏｉｎｔ  ｔｏ  Ｍｕｌｔｉｐｏｉｎｔ）と点対点（Ｐｏｉｎｔ  ｔｏ  Ｐｏｉｎｔ）とに区分される。ＵＴＲＡＮは、ＭＢＭＳサービスを提供するために、前記二種類のＭＢＭＳ  ＲＢの中の一つを選択して使用する。ＭＢＭＳ  ＲＢを選択するために、ＵＴＲＡＮは一つのセル内に存在する特定のＭＢＭＳサービスの使用者数を先に把握する。ＵＴＲＡＮは内部的に閾値を設定するが、該当のセルに存在する使用者数が閾値より少ない場合は、点対点ＭＢＭＳ  ＲＢを設定し、該当のセルに存在する使用者数が閾値より多い場合は、点対多ＭＢＭＳ  ＲＢを設定する。
【００４８】
Ｔｈｉｒｄ  ｇｅｎｅｒａｔｉｏｎ  ｐａｒｔｎｅｒｓｈｉｐ  ｐｒｏｊｅｃｔ（３ＧＰＰ）の無線システムは、特にパケットデータサービスを支援するために、高速ダウンリンク共有チャンネル（Ｈｉｇｈ  Ｓｐｅｅｄ  Ｄｏｗｎｌｉｎｋ  ｓｈａｒｅｄ  ｃｈａｎｎｅｌ：ＨＳ−ＤＳＣＨ）を提案している。
【００４９】
ＤＳＣＨがマルチキャストサービスを提供するためには、点対多無線ベアラーを支援すべきであって、このとき、ＣＴＣＨまたはＭＴＣＨ（ＭＢＭＳ  ｔｒａｆｆｉｃ  ｃｈａｎｎｅｌ）のような共通論理チャンネルがＤＳＣＨにマッピングされるべきである。しかし、従来のＤＳＣＨは、ただ専用論理チャンネルのデータのみを伝送したため、ＤＳＣＨにマッピングされる論理チャンネルを識別するためのフィールドがＭＡＣヘッダーに含まれてなかった。従って、ＤＳＣＨを通して共通論理チャンネルデータを伝送するとき、ＭＡＣヘッダーに論理チャンネルの種類を示すフィールドが含まれない場合、端末はＤＳＣＨを通して受信したデータの属する論理チャンネルの種類を知ることができない。即ち、前記受信データを如何なる種類の論理チャンネルに伝達すべきであるかを知らないが、これによって、通信エラーが発生する確率が高くなる。
【００５０】
上記参考文献は、追加的または代替的な、詳細、特徴および／または技術的背景の適切な教示のために適切である場合、本明細書中で参考として援用される。
【発明の開示】
【発明が解決しようとする課題】
【００５１】
本発明の目的は、共有チャンネルを通してマルチキャストサービスデータを伝送するとき、サービスデータの種類を区別できるデータ伝送方法を提供することにある。
【００５２】
本発明の他の目的は、共有チャンネルを通してマルチキャストサービスを提供できるデータ伝送方法を提供することにある。
【課題を解決するための手段】
【００５３】
このような目的を達成するために、論理チャンネルのサービスデータを共通伝送チャンネルにマッピングして端末に伝送する無線システムにおいて、本発明に係るマルチキャストサービス方法は、伝送されるサービスデータに論理チャンネル識別子を付加する段階と、該当のサービスデータを共通伝送チャンネルにマッピングする段階と、を含む。
【００５４】
好ましく、前記論理チャンネルは、共通論理チャンネルまたは専用論理チャンネルであり、共通論理チャンネルは、共通トラフィックチャンネル（Ｃｏｍｍｏｎ  Ｔｒａｆｆｉｃ  Ｃｈａｎｎｅｌ：ＣＴＣＨ）、共通制御チャンネル、ＭＢＭＳトラフィックチャンネル（ＭＢＭＳ  Ｔｒａｆｆｉｃ  Ｃｈａｎｎｅｌ：ＭＴＣＨ）またはＭＢＭＳ制御チャンネル（ＭＢＭＳ  Ｃｏｎｔｒｏｌ  ｃｈａｎｎｅｌ：ＭＣＣＨ）である。
【００５５】
好ましく、前記共通伝送チャンネルは、Ｄｏｗｎｌｉｎｋ  Ｓｈａｒｅｄ  Ｃｈａｎｎｅｌ（ＤＳＣＨ）である。
【００５６】
好ましく、前記共通伝送チャンネルは、高速ダウンリンク共有チャンネル（ＨＳ−ＤＳＣＨ）である。
【００５７】
好ましく、前記サービスデータは、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）データである。
【００５８】
好ましく、前記サービスデータは、ＭＢＭＳプロトコルデータユニットであり、ＭＢＭＳプロトコルデータユニットは、ＭＡＣプロトコルデータユニットである。
【００５９】
好ましく、前記論理チャンネル識別子は、Ｔａｒｇｅｔ  Ｃｈａｎｎｅｌ  Ｔｙｐｅ  Ｆｉｅｌｄ（ＴＣＴＦ）であり、前記ＴＣＴＦは、共通伝送チャンネルにマッピングされる論理チャンネルが共通論理チャンネルであるか、または専用論理チャンネルであるかを示す。前記論理チャンネル識別子は、サービスデータがＭｅｄｉｕｍ  Ａｃｃｅｓｓ  Ｃｏｎｔｒｏｌ（ＭＡＣ）階層から下位階層に伝達される時に付加される。
【００６０】
好ましく、前記論理チャンネル識別子は、セル内の全ての端末の共通無線資源を管理するＭＡＣ−ｃ／ｓｈ階層のような共通型（ｃｏｍｍｏｎ  ｔｙｐｅ）ＭＡＣ個体（ＭＡＣ  ｅｎｔｉｔｙ）によって付加されることを特徴とする。
【００６１】
好ましく、前記論理チャンネル識別子は、サービスデータのヘッダーに含まれ、前記ヘッダーは、ＭＡＣヘッダーである。
【００６２】
本発明に係るマルチキャストサービス方法は、伝送されるサービスデータに端末識別子と端末識別子の種類を示す指示子とを付加する段階を更に含む。前記端末識別子は、ＭＢＭＳ無線網臨時識別子（ＭＢＭＳ  ｒａｄｉｏ  ｎｅｔｗｏｒｋ  ｔｅｍｐｏｒａｒｙ  ｉｄｅｎｔｉｆｉｅｒ（ＲＮＴＩ））、端末グループ識別子またはＭＢＭＳサービス識別子（ＭＢＭＳ  ｓｅｒｖｉｃｅ  ｉｄｅｎｔｉｆｉｅｒ）であることを特徴とする。
【００６３】
このような目的を達成するために、共通論理チャンネルまたは専用論理チャンネルのサービスデータをダウンリンク共有チャンネル（ＤＳＣＨ）または高速ダウンリンク共有チャンネル（ＨＳ−ＤＳＣＨ）にマッピングして端末に伝送する無線通信システムにおいて、本発明に係るマルチキャストサービス方法は、Ｍｅｄｉｕｍ  Ａｃｃｅｓｓ  Ｃｏｎｔｒｏｌ（ＭＡＣ）階層から前記ＤＳＣＨまたはＨＳ−ＤＳＣＨを通してサービスデータを伝送するとき、該当のサービスデータに論理チャンネルマッピング類型を示す指示子を共に伝送する。
【００６４】
好ましく、前記サービスデータは、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）データであることを特徴とする。
【００６５】
好ましく、前記サービスデータは、ＭＢＭＳプロトコルデータユニットであり、前記ＭＢＭＳプロトコルデータユニットは、ＭＡＣプロトコルデータユニットであることを特徴とする。
【００６６】
好ましく、前記指示子は、Ｔａｒｇｅｔ  Ｃｈａｎｎｅｌ  Ｔｙｐｅ  Ｆｉｅｌｄ（ＴＣＴＦ）である。
【００６７】
好ましく、前記ＭＡＣ階層は、セル内の全ての端末の共通資源を管理するＭＡＣ−ｃ／ｓｈ階層であることを特徴とする。
【００６８】
好ましく、前記指示子は、サービスデータのヘッダーに含まれ、前記ヘッダーは、ＭＡＣヘッダーであることを特徴とする。前記ＭＡＣヘッダーは、端末識別子と、端末識別子の種類を示す指示子とを更に含む。
【００６９】
好ましく、前記端末識別子は、ＭＢＭＳ無線網臨時識別子（ＭＢＭＳ  ＲＮＴＩ）、端末グループ識別子またはＭＢＭＳサービス識別子であることを特徴とする。
【００７０】
このような目的を達成するために、ダウンリンク共有チャンネルを通して受信されたサービスデータを端末の上位階層に伝達する無線通信システムにおいて、本発明に係るマルチキャストサービス方法は、サービスデータから論理チャンネル識別子をリードして該当のデータが伝達される論理チャンネルを認識する段階と、認識された論理チャンネルを通して前記受信データを端末の上位階層に伝達する段階とを含む。
【００７１】
好ましく、前記受信データは、Ｍｕｌｔｉｍｅｄｉａ  Ｂｒｏａｄｃａｓｔ／Ｍｕｌｔｉｃａｓｔ  Ｓｅｒｖｉｃｅ（ＭＢＭＳ）データであることを特徴とする。
【００７２】
好ましく、前記論理チャンネル識別子は、Ｔａｒｇｅｔ  Ｃｈａｎｎｅｌ  Ｔｙｐｅ  Ｆｉｅｌｄ（ＴＣＴＦ）であることを特徴とする。
【００７３】
好ましく、前記伝達される論理チャンネルが共通論理チャンネルであると、前記受信データを共通論理チャンネルを通してＲｅｓｏｕｒｃｅ  Ｌｉｎｋ  Ｃｏｎｔｒｏｌ（ＲＬＣ）階層に伝達する。また、伝達される論理チャンネルが専用論理チャンネルであると、前記受信データを専用論理チャンネルを通して専用資源を管理するＭＡＣ−ｄ階層に伝達する。
【００７４】
好ましく、前記認識段階は、ＭＡＣ−ｃ／ｓｈ階層のような端末の共通型（ｃｏｍｍｏｎ  ｔｙｐｅ）媒体接続制御（Ｍｅｄｉｕｍ  Ａｃｃｅｓｓ  Ｃｏｎｔｒｏｌ：ＭＡＣ）階層で行われることを特徴とする。
【００７５】
このような目的を達成するために、ダウンリンク共有チャンネルを通して受信されたデータを端末の上位階層に伝達する無線通信システムにおいて、本発明に係るマルチキャストサービス方法は、前記受信データから論理チャンネル識別子と端末識別子とをリードする段階と、リードされた論理チャンネル識別子および端末識別子に基づいて、前記受信データを所定の論理チャンネルを通して上位階層に伝達する段階と、を含む。
【００７６】
好ましく、前記論理チャンネル識別子は、Ｔａｒｇｅｔ  Ｃｈａｎｎｅｌ  Ｔｙｐｅ  Ｆｉｅｌｄ（ＴＣＴＦ）であることを特徴とする。
【００７７】
好ましく、前記端末識別子は、ＭＢＭＳ無線網臨時識別子（ＭＢＭＳ  ＲＮＴＩ）、端末グループ識別子またはＭＢＭＳサービス識別子であることを特徴とする。
【００７８】
好ましく、前記伝達段階は、論理チャンネル識別子が共通論理チャンネルを指示するかをチェックする段階と、端末識別子が該当の端末の属する端末グループを指示するかをチェックする段階と、チェック結果によって、前記受信データを上位階層に伝達する段階と、から構成される。
【００７９】
好ましく、前記論理チャンネル識別子が共通論理チャンネルを指示し、端末識別子が端末の属する端末グループを指示すると、前記受信データを共通論理チャンネルを通してＲｅｓｏｕｒｃｅ  Ｌｉｎｋ  Ｃｏｎｔｒｏｌ（ＲＬＣ）階層に伝達する。その反面、論理チャンネル識別子が共通論理チャンネルを指示するが、端末識別子が端末の属する端末グループを指示しないと、受信データを廃棄する。
【００８０】
好ましく、前記論理チャンネル識別子が専用論理チャンネルを指示し、端末識別子が端末の属する端末グループを指示すると、前記受信データをＭＡＣ−ｄ階層に伝達する。その反面、論理チャンネル識別子が専用論理チャンネルを指示するが、端末識別子が端末の属する端末グループを指示しないと、受信データを廃棄する。
【００８１】
本発明のさらなる利点、目的および特徴は、一部は以下の記載に示され、そして一部は以下の試験の際に当業者に明らかとなるか、または本発明の実施から確認され得る。本発明の目的および利点は、添付の特許請求の範囲に具体的に示されるように認識および達成され得る。
【発明を実施するための最良の形態】
【００８２】
本発明は、３ＧＰＰにより開発されたＵＭＴＳ（ｕｎｉｖｅｒｓａｌ  ｍｏｂｉｌｅ  ｔｅｌｅｃｏｍｍｕｎｉｃａｔｉｏｎｓ  ｓｙｓｔｅｍ）のような移動通信システムで具現される。然し、本発明は、他の標準によって動作する通信システムにも適用される。
【００８３】
本発明は、ＵＴＲＡＮがダウンリンク共有チャンネル（ＤＳＣＨ）を通して点対多無線ベアラーデータを端末に伝送するとき、端末がＤＳＣＨを通して受信したデータを如何なる論理チャンネルに伝達すべきであるかを判断する方案を提示する。本発明のＤＳＣＨは、点対点無線ベアラーサービスだけでなく、点対多無線ベアラーサービスをも提供し、特にＣＴＣＨ及びＭＴＣＨのような共通トラフィックチャンネルのデータを特定の端末グループに伝送する。
【００８４】
本発明では、従来のＤＳＣＨと区分するために、点対多無線ベアラーサービスを提供するのに使用されるＤＳＣＨは点対多ＤＳＣＨといい、点対点無線ベアラーサービスを提供するのに使用されるＤＳＣＨは点対点ＤＳＣＨという。また、本発明では、ＤＳＣＨがＨＳ−ＤＳＣＨにより代替されるように、前記ＤＳＣＨは高速ダウンリンク共有チャンネル（ＨＳ−ＤＳＣＨ）を含む。
【００８５】
本発明は、ダウンリンク共有チャンネル（ＤＳＣＨ）を通して伝送されるマルチキャストサービスデータに該当のデータがマルチキャストデータであるか、または専用データであるかを知らせる指示子を含んで伝送する。前記指示子は、Ｔａｒｇｅｔ  Ｃｈａｎｎｅｌ  Ｔｙｐｅ  Ｆｉｅｌｄ（ＴＣＴＦ）としてＭＡＣ  ＰＤＵのヘッダーに含まれる。
【００８６】
以下、本発明の実施形態を詳しく説明する。
【００８７】
従来の共有伝送チャンネル（ＤＳＣＨ）は、ただ専用論理チャンネルのデータのみを伝送したため、ＤＳＣＨにマッピングされる論理チャンネルの種類を識別するためのフィールドがＭＡＣヘッダーに含まれなかった。ところが、専用サービスだけでなく、マルチキャストサービスを提供するために、ＤＳＣＨは点対多無線ベアラー（ＲＢ）を支援すべきであり、前記ＤＳＣＨが点対多無線ベアラー（ＲＢ）を支援するためには、ＣＴＣＨまたはＭＴＣＨのような共通論理チャンネルがＤＳＣＨにマッピングされるべきである。
【００８８】
図６は本発明に係る点対多ＤＳＣＨのためのＭＡＣ  ＰＤＵの構造である。
【００８９】
図６に示したように、ＤＳＣＨを通して伝送されるＭＡＣ  ＰＤＵは、ＭＡＣヘッダーとＭＡＣ  ＳＤＵとに構成される。前記ＭＡＣヘッダーは、ＴＣＴＦ、ＵＥ  ＩＤ  Ｔｙｐｅ及びＭＢＭＳ識別子（ｍ−ＲＮＴＩ）等の情報を含む。
【００９０】
ＭＡＣヘッダーは、論理チャンネルの種類を識別するためのＴＣＴＦフィールドを含む。ＴＣＴＦフィールドは、ＤＳＣＨにマッピングされるチャンネルが専用論理チャンネル（ＤＴＣＨ／ＤＣＣＨ）であるか、または共通論理チャンネル（ＣＴＣＨ、ＢＣＣＨ、ＣＣＣＨ、ＭＴＣＨ、ＭＣＣＨ）であるかを示す。即ち、ダウンリンク共有チャンネル（ＤＳＣＨ）を通して伝送されるマルチキャストサービスデータがマルチキャストデータであるか、または専用データであるかを示す。
【００９１】
ＵＥ  ＩＤ  Ｔｙｐｅフィールドは、ＭＡＣヘッダーに含まれるＵＥ  ＩＤの種類がＵ−ＲＮＴＩであるか、Ｃ−ＲＮＴＩであるか、ＤＳＣＨ−ＲＮＴＩであるか、またはＭＢＭＳ識別子（ｍ−ＲＮＴＩ）であるかを示す。
【００９２】
ＭＢＭＳ識別子（ｍ−ＲＮＴＩ）フィールドは端末識別子情報を示すが、一般に、点対点ＤＳＣＨの場合、ＵＥ  ＩＤとしてＤＳＣＨ−ＲＮＴＩがＭＡＣヘッダーに使用されるが、点対多ＤＳＣＨの場合は、ＵＥ  ＩＤとしてＭＢＭＳ識別子（ｍ−ＲＮＴＩ）が使用される。また、前記ＭＢＭＳ識別子の代りに、ＭＢＭＳサービス識別子または端末グループ識別子がＵＥ  ＩＤとして使用される。
【００９３】
従って、ＵＴＲＡＮ  ＭＡＣは、ＭＴＣＨを通して伝達されたＲＬＣ  ＰＤＵにＭＡＣヘッダー情報を付けてＭＡＣ  ＰＤＵ、即ち、伝送ブロックを構成した後、ＤＳＣＨを通して物理階層に伝達する。
【００９４】
図７は点対多ＤＳＣＨのためのＣＲＮＣの共通型（ｃｏｍｍｏｎ  ｔｙｐｅ）ＭＡＣの構造である。前記ＣＲＮＣの共通型ＭＡＣはＵＴＲＡＮでＭＢＭＳを支援し、前記ＣＲＮＣでの共通型ＭＡＣとしてはＭＡＣ−ｃ／ｓｈが使用される。
【００９５】
図７に示したように、ＲＬＣ１０のＲＬＣ  ＵＭ個体（Ｕｎａｃｋｎｏｗｌｅｄｇｅｄ  Ｍｏｄｅ  Ｅｎｔｉｔｙ）１１は、ＭＢＭＳ点対多無線ベアラー毎に一つずつ存在する。互いに異なるＲＬＣ  ＵＭ個体は、互いに異なるＱｏＳ（Ｑｕａｌｉｔｙ  ｏｆ  Ｓｅｒｖｉｃｅ）を有するＭＢＭＳデータを伝送する。一つのＲＬＣ  ＵＭ個体は一つのＭＴＣＨを有する。また、図７のＣＴＣＨの代りにＭＴＣＨが使用される。
【００９６】
ＣＴＣＨを通してＲＬＣ  ＰＤＵの伝達を受けたＭＡＣ−ｃ／ｓｈ２０は、ＲＬＣ  ＰＤＵにｍ−ＲＮＴＩとＵＥ  ＩＤを追加した後、ＴＣＴＦ多重化を行う（Ｓ２１、Ｓ２３、Ｓ２４）。このとき、段階Ｓ２２は、ＭＡＣ−ｃ／ｓｈとＭＡＣ−ｄ間の流れ制御を意味する。
【００９７】
その後、ＭＡＣ−ｃ／ｓｈは、ダウンリンク共有チャンネルを伝送時間間隔（ＴＴＩ）毎に端末に適切に割り当てるダウンリンクスケジューリング機能及び優先順位の高いデータを先に伝送する優先順位処理（Ｐｒｉｏｒｉｔｙ  Ｈａｎｄｌｉｎｇ）機能を行う（Ｓ２５）。このとき、ＭＡＣ−ｃ／ｓｈ２０は、次のような三つの類型の優先順位処理を行うことができる。
【００９８】
１．ＭＢＭＳマルチキャストグループ（またはＭＢＭＳサービス）間の優先順位処理
２．一つのＭＢＭＳマルチキャストグループ（または一つのＭＢＭＳサービス）に対する優先順位処理
３．ＭＢＭＳマルチキャストグループ（またはＭＢＭＳサービス）内のデータ間優先順位処理
例えば、ダウンリンク（Ｄｏｗｎｌｉｎｋ）で多様なＭＢＭＳマルチキャストグループのデータがＦＡＣＨ、ＤＳＣＨまたはＨＳ−ＤＳＣＨのような共通伝送チャンネルを通して伝送される場合、ＭＡＣ−ｃ／ｓｈ２０は優先順位の高いＭＢＭＳデータから先に伝送する。これは、動的スケジューリング（Ｄｙｎａｍｉｃ  Ｓｃｈｅｄｕｌｉｎｇ）機能と関連があり、この方法は、共通チャンネルを伝送時間間隔（ＴＴＩ）毎に端末に適切に割り当てることで、チャンネル資源の効率を高めることができる。
【００９９】
そして、一つのＭＢＭＳサービスまたは一つのＭＢＭＳマルチキャストグループに属した多様な論理チャンネルが一つの伝送チャンネルにマッピングされた場合、ＭＡＣ−ｃ／ｓｈ２０は、論理チャンネル優先順位（Ｌｏｇｉｃａｌ  Ｃｈａｎｎｅｌ  Ｐｒｉｏｒｉｔｙ）により優先順位を決定する。これは、伝送フォーマット組合せ選択（Ｔｒａｎｓｐｏｒｔ  Ｆｏｒｍａｔ  Ｃｏｍｂｉｎａｔｉｏｎ  ｓｅｌｅｃｔｉｏｎ）と関連があり、ＭＡＣ−ｃ／ｓｈは、優先順位の高い論理チャンネルのデータを先に伝送する伝送フォーマット組合せ（Ｔｒａｎｓｐｏｒｔ  Ｆｏｒｍａｔ  Ｃｏｍｂｉｎａｔｉｏｎ：ＴＦＣ）を選択する（Ｓ２６）。
【０１００】
ＭＡＣ−ｃ／ｓｈは、点対多ＤＳＣＨチャンネルに伝送される各データのＴＦＣを選択した後、ＴＴＩ毎に該当のＭＡＣ  ＰＤＵが伝送されるダウンリンクコード、即ち、ＰＤＳＣＨ（Ｐｈｙｓｉｃａｌ  Ｄｏｗｎｌｉｎｋ  ｓｈａｒｅｄ  ｃｈａｎｎｅｌ）（物理チャンネル）のチャンネルコードを選択する（Ｓ２７）。特定のＰＤＳＣＨ無線フレームでのＰＤＳＣＨチャンネルコードは、該当のＭＢＭＳサービスまたはＭＢＭＳマルチキャストグループデータを伝送するのに使用される。
【０１０１】
図８は点対多ＤＳＣＨのための端末の共通型ＭＡＣの構造を示す。前記端末の共通型ＭＡＣはＵＥでＭＢＭＳを支援し、前記端末での共通型ＭＡＣとしてはＭＡＣ−ｃ／ｓｈが使用される。
【０１０２】
図８に示したように、ＭＢＭＳマルチキャストグループに属した端末の物理階層は、まず、ＤＰＣＨを通してＤＳＣＨ制御情報を受信した後、その受信したＤＳＣＨ制御情報の内容によって特定の無線フレームの間ＤＳＣＨを受信するかを決定する。もしＤＳＣＨ制御情報がＭＢＭＳサービスのための特定の無線フレームの間ＤＳＣＨを受信することを知らせる場合、端末の物理階層は、ＤＳＣＨ制御情報によって特定の無線フレームの間ＤＳＣＨを受信した後、ＭＡＣ  ＰＤＵをデコーディングして伝送チャンネルを通して端末のＭＡＣ−ｃ／ｓｈに伝達する。
【０１０３】
端末のＭＡＣ−ｃ／ｓｈ４０は、受信したＭＡＣ  ＰＤＵからＴＣＴＦフィールドを逆多重化し（Ｓ４３）、ＭＡＣ  ＰＤＵに挿入されたＴＣＴＦフィールドの情報が専用論理チャンネル（ＤＴＣＨまたはＤＣＣＨ）マッピングを示すか、または共通論理チャンネル（ｅ．ｇ．、ＣＴＣＨ、ＭＴＣＨまたはＭＣＣＨ）マッピングを示すかをチェックする。
【０１０４】
チェック結果、ＴＣＴＦフィールドの情報が専用論理チャンネル（ＤＴＣＨまたはＤＣＣＨ）のマッピングを示すと、ＭＡＣ−ｃ／ｓｈ４０は、従来の点対点ＤＳＣＨと同一にデータを処理する。即ち、ＴＣＴＦフィールドの情報が専用論理チャンネルマッピングを示すと、端末ＭＡＣ−ｃ／ｓｈは、ＭＡＣヘッダーからＵＥ  ＩＤをリードして該当のＵＥ  ＩＤが自身のＩＤであるかを判別する。判別結果、該当のＵＥ  ＩＤが自身であると、端末ＭＡＣ−ｃ／ｓｈは該当のＭＡＣ  ＰＤＵをＭＡＣ−ｄ階層に伝達する。
【０１０５】
しかし、ＭＡＣ  ＰＤＵに挿入されたＴＣＴＦフィールドの情報が共通論理チャンネル（ｅ．ｇ．、ＣＴＣＨまたはＭＴＣＨ）マッピングを示す場合、端末ＭＡＣ−ｃ／ｓｈは、ＵＥ  ＩＤ  ＴｙｐｅフィールドがＭＢＭＳ  ＲＮＴＩ（ｍ−ＲＮＴＩ）の包含を指示するかをかチェックする。もしＵＥ  ＩＤ  Ｔｙｐｅフィールドがｍ−ＲＮＴＩの包含を指示しない場合、ＭＡＣ−ｃ／ｓｈは該当のＭＡＣ  ＰＤＵを廃棄する。
【０１０６】
一方、ＵＥ  ＩＤ  Ｔｙｐｅフィールドがｍ−ＲＮＴＩの包含を指示する場合、ＭＡＣ−ｃ／ｓｈ４０は、ＭＢＭＳ識別子フィールドからｍ−ＲＮＴＩをリードし（Ｓ４３）、リードしたｍ−ＲＮＴＩが端末の受信しようとするマルチキャストサービスを指示するかをチェックする。チェック結果、リードされたｍ−ＲＮＴＩが端末の受信しようとするマルチキャストサービスを指示しない場合、該当のＭＡＣ  ＰＤＵを廃棄する。
【０１０７】
その反面、該当のｍ−ＲＮＴＩが受信しようとするマルチキャストサービスを指示する場合、ＭＡＣ−ｃ／ｓｈ４０は、該当のＭＡＣ  ＰＤＵに挿入された論理チャンネルの種類（ｅ．ｇ．、ＣＴＣＨ）と識別情報を利用して、該当の共通論理チャンネル（ＣＴＣＨ）を通して端末ＲＬＣ階層３０のＲＬＣ  ＵＭ個体３１にＲＬＣ  ＰＤＵを伝達する。即ち、端末ＭＡＣ−ｃ／ｓｈ４０は、ＭＡＣ  ＰＤＵに挿入されたＴＣＴＦとＭＢＭＳ識別子フィールドの情報に基づいて、データ（ＭＡＣ  ＰＤＵ）が如何なる種類の論理チャンネルから伝送され、如何なる論理チャンネルを通して端末ＲＬＣ階層に伝達されるかを把握するようになる。
【０１０８】
以上説明したように、本発明は、ＤＳＣＨが伝送するＭＡＣ  ＰＤＵのヘッダーにＴＣＴＦフィールドを含めることで、ＤＳＣＨが点対多無線ベアラーを支援する場合、マッピングされる論理チャンネルの種類を把握することができる。これによって、ＤＳＣＨデータを受信する端末ＭＡＣ−ｃ／ｓｈは、データが如何なる種類の論理チャンネルから伝送され、如何なる論理チャンネルを通して端末ＲＬＣ階層に伝達されるかを容易に把握できるという効果がある。
【０１０９】
尚、本発明は、図面に示した実施形態に基づいて説明されたが、これは例示的なものにすぎなく、本技術分野の通常の知識を有する者であれば、これによって、多様な変形及び均等な他の実施形態が可能であることを理解するはずである。従って、本発明の真の技術的保護範囲は、添付された特許請求の範囲の技術的思想により定められるべきである。
【図面の簡単な説明】
【０１１０】
本発明は、以下の図面を参照して詳細に記載される。これらの図面において、同じ参照番号は、同じ要素を示す。
【図１】図１は一般のＵＭＴＳシステムの網構造である。
【図２】図２は３ＧＰＰ無線接続網規格に基づく、一つの端末とＵＴＲＡＮ間の無線接続インターフェース（Ｒａｄｉｏ  Ａｃｃｅｓｓ  Ｉｎｔｅｒｆａｃｅ）プロトコルの構造を示した図である。
【図３】図３はＵＥ側で論理チャンネルと伝送チャンネルとのマッピング関係の一例を示した図である。
【図４】図４は従来の点対点ＤＳＣＨのためのＭＡＣ  ＰＤＵ構造を示した図である。
【図５】図５は従来の専用論理チャンネルと伝送チャンネルとのマッピング関係によるＭＡＣヘッダー情報を示した図である。
【図６】図６は本発明に係る点対多ＤＳＣＨのためのＭＡＣ  ＰＤＵの構造を示した図である。
【図７】図７は点対多ＤＳＣＨのためのＣＲＮＣの共通型ＭＡＣ構造及びマルチキャストデータ処理方法を示した図である。
【図８】図８は点対多ＤＳＣＨのための端末の共通型ＭＡＣ構造及びマルチキャストデータ処理方法を示した図である。
【符号の説明】
【０１１１】
ＭＢＭＳ：Ｍｕｌｔｉｍｅｄｉａ  Ｂｒｏａｄｃａｓｔ／Ｍｕｌｔｉｃａｓｔ  Ｓｅｒｖｉｃｅ
ＴＣＴＦ：Ｔａｒｇｅｔ  Ｃｈａｎｎｅｌ  Ｔｙｐｅ  Ｆｉｅｌｄ
ＲＲＣ：Ｒａｄｉｏ  Ｒｅｓｏｕｒｃｅ  Ｃｏｎｔｒｏｌ
【図１】
2005535268.tif 000003
【図２】
2005535268.tif 000004
【図３】
2005535268.tif 000005
【図４】
2005535268.tif 000006
【図５】
2005535268.tif 000007
【図６】
2005535268.tif 000008
【図７】
2005535268.tif 000009
【図８】
2005535268.tif 000010
【国際調査報告】
2005535268.tif 000011
2005535268.tif 000012